(57)【特許請求の範囲】
【請求項１】
画像を表示し記憶性を有する第１表示部及び第２表示部と、
前記第１表示部を駆動する第１駆動回路と、
前記第２表示部を駆動する第２駆動回路と、
前記第１表示部及び前記第２表示部の動作を制御する制御手段と、
前記第１表示部に表示すべき画像及び前記第２表示部に表示すべき画像を１つの結合画像として記憶する記憶手段と
を備え、
前記制御手段は、
前記結合画像を分割して前記第１駆動回路及び前記第２駆動回路にそれぞれ供給する書換手段と、
前記結合画像に基づいて、前記第１表示部及び前記第２表示部のいずれの画像を書き換えるかを判定する判定手段と、
前記第１表示部及び前記第２表示部の一方の画像を書き換えないと判定した場合に、前記一方への電源電位の供給を停止する電源供給停止手段と
を備え、
前記第１駆動回路及び前記第２駆動回路は、前記書換手段から供給された画像に基づき、前記第１表示部及び前記第２表示部をそれぞれ駆動し、
前記判定手段は、前記第１表示部及び前記第２表示部に対応する座標情報を有しており、前記結合画像を表示すべき座標に基づいて、前記第１表示部及び前記第２表示部のいずれの画像を書き換えるかを判定し、
前記結合画像を表示すべき座標が、前記第１表示部及び前記第２表示部の両方にまたがる座標である場合には、前記第１表示部及び前記第２表示部の両方を書き換えると判定し、
前記結合画像を表示すべき座標が、前記第１表示部及び前記第２表示部のいずれか一方のみに対応する座標である場合には、前記第１表示部及び前記第２表示部の一方を書き換えると判定することを特徴とする表示装置。
【請求項２】
画像を表示し記憶性を有する第１表示部及び第２表示部と、前記第１表示部を駆動する第１駆動回路と、前記第２表示部を駆動する第２駆動回路と、前記第１表示部及び前記第２表示部の動作を制御する制御手段と、前記第１表示部に表示すべき画像及び前記第２表示部に表示すべき画像を１つの結合画像として記憶する記憶手段とを備える表示装置の制御方法であって、
前記結合画像を分割して前記第１駆動回路及び前記第２駆動回路にそれぞれ供給することで、前記第１表示部及び前記第２表示部における画像の書き換えを行う書換工程と、
前記結合画像に基づいて、前記第１表示部及び前記第２表示部のいずれの画像を書き換えるかを判定する判定工程と、
前記第１表示部及び前記第２表示部の一方の画像を書き換えないと判定した場合に、前記一方への電源電位の供給を停止する電源供給停止工程と
を含み、
前記判定工程は、
記第１表示部及び前記第２表示部に対応する座標情報を有しており、前記結合画像を表示すべき座標に基づいて、前記第１表示部及び前記第２表示部のいずれの画像を書き換えるかを判定し、
前記結合画像を表示すべき座標が、前記第１表示部及び前記第２表示部の両方にまたがる座標である場合には、前記第１表示部及び前記第２表示部の両方を書き換えると判定し、
前記結合画像を表示すべき座標が、前記第１表示部及び前記第２表示部のいずれか一方のみに対応する座標である場合には、前記第１表示部及び前記第２表示部の一方を書き換えると判定する工程を含むことを特徴とする表示装置の制御方法。
【請求項３】
画像を表示し記憶性を有する第１表示部及び第２表示部の動作を制御する制御装置であって、
前記第１表示部に表示すべき画像及び前記第２表示部に表示すべき画像を結合した結合画像を分割して前記第１表示部を駆動する第１駆動回路及び前記第２表示部を駆動する第２駆動回路にそれぞれ供給することで、前記第１表示部及び前記第２表示部における画像の書き換えを行う書換手段と、
前記結合画像に基づいて、前記第１表示部及び前記第２表示部のいずれの画像を書き換えるかを判定する判定手段と、
前記第１表示部及び前記第２表示部の一方の画像を書き換えないと判定した場合に、前記一方への電源電位の供給を停止する電源供給停止手段と
を備え、
前記判定手段は、
前記第１表示部及び前記第２表示部に対応する座標情報を有しており、前記結合画像を表示すべき座標に基づいて、前記第１表示部及び前記第２表示部のいずれの画像を書き換えるかを判定し、
前記結合画像を表示すべき座標が、前記第１表示部及び前記第２表示部の両方にまたがる座標である場合には、前記第１表示部及び前記第２表示部の両方を書き換えると判定し、
前記結合画像を表示すべき座標が、前記第１表示部及び前記第２表示部のいずれか一方のみに対応する座標である場合には、前記第１表示部及び前記第２表示部の一方を書き換えると判定することを特徴とする制御装置。
【発明の詳細な説明】
【技術分野】
【０００１】
本発明は、例えば電気泳動表示装置等の表示装置、及び該表示装置の制御方法の技術分野に関する。
【背景技術】
【０００２】
この種の表示装置として、例えば電子書籍等の画像データを２画面で表示するものが知られている。このような装置は、携帯性を高めるために比較的小型の電池で駆動することが一般的であり、動作時間を長くするためにも表示中の消費電力を低減することが求められる。このため、例えば特許文献１では、２つの画面のうち非選択の画面の駆動を停止する、或いは非選択の画面の照明（即ち、バックライト）をオフとするという技術が提案されている。
【先行技術文献】
【特許文献】
【０００３】
【特許文献１】特開２０００−２８４８８３号公報
【発明の概要】
【発明が解決しようとする課題】
【０００４】
しかしながら、上述した特許文献１に記載されている技術では、２つの画面で表示する画像を別々のメモリで管理するため、ソフトウェアによる処理が煩雑になってしまう。また、２つの画面の選択／非選択を個別に制御し、それぞれの電源制御を行うため、電源制御が非効率となり、その分、消費電力が大きくなってしまう。このように、特許文献１に記載されている技術には、仮に消費電力を低減できたとしても、他の解消し得ない不具合を有するという技術的問題点がある。
【０００５】
本発明は、例えば前述した問題点に鑑みなされたものであり、消費電力を好適に低減することが可能な表示装置、及び該表示装置の制御方法を提供することを課題とする。
【課題を解決するための手段】
【０００６】
本発明に係る表示装置は上記課題を解決するために、画像を表示する第１表示部及び第２表示部と、
前記第１表示部及び前記第２表示部の動作を制御する制御手段と、前記第１表示部に表示すべき画像及び前記第２表示部に表示すべき画像を１つの結合画像として記憶する記憶手段とを備え、前記制御手段は、前記結合画像を前記第１表示部及び前記第２表示部にそれぞれ分割して供給することで、前記第１表示部及び前記第２表示部における画像の書き換えを行う書換手段と、前記結合画像に基づいて、前記第１表示部及び前記第２表示部のいずれの画像を書き換えるかを判定する判定手段と、前記第１表示部及び前記第２表示部の一方の画像を書き換えないと判定した場合に、前記一方への電源電位の供給を停止する電源供給停止手段とを備える。
【０００７】
本発明に係る表示装置は、例えば電子書籍や楽譜等の画像を表示する第１表示部及び第２表示部を備えている。第１表示部及び第２表示部は、例えばマイクロカプセル中に電気泳動素子を含んでなる電気泳動表示装置や、基板中に液晶を挟持してなる液晶表示装置等として構成される。なお、本発明に係る第１表示部及び第２表示部は、互いに独立して電源制御が行えるように構成されている。
【０００８】
第１表示部及び第２表示部は、例えばコントローラー等として構成される制御手段によって、その動作が制御される。例えば、第１表示部及び第２表示部は、複数の走査線と複数のデータ線との交差に対応して例えばマトリクス状に配列された複数の画素を有するように構成され、制御手段は、第１表示部及び第２表示部の各画素の画素電極に画像データに応じたデータ電位を供給する。より具体的には、制御手段が所定のフレーム期間中に、複数の画素の各々における画素電極に画像データに応じたデータ電位を供給する（具体的には、所定のフレーム期間中に、複数の走査線を所定の順番で１回ずつ選択するとともに、該選択した走査線に対応する画素における画素電極にデータ電位を複数のデータ線を介して供給する）電位供給（言い換えれば、所定のフレーム期間中に画像データに応じたデータ電位を複数の画素の各々の画素電極に書き込む書き込み動作）を複数回行うことにより、第１表示部及び第２表示部の各々に画像データに応じた画像が表示される。
【０００９】
本発明に係る表示装置は更に、第１表示部に表示すべき画像及び第２表示部に表示すべき画像をそれぞれ記憶する記憶手段を備えている。記憶手段は、例えばバッファメモリとして構成され、第１表示部及び第２表示部で表示すべき２つの画像を１つの結合画像として一時的に記憶する。即ち、第１表示部及び第２表示部で表示すべき画像は互いに異なる２つの記憶手段に別々に記憶されるのではなく、１つの記憶手段にまとめて記憶される。これにより、装置を動作させるソフトウェアから見た場合の処理を簡単にすることができる。
【００１０】
本発明に係る表示装置の動作時には、制御手段における書換え手段によって、記憶手段に記憶されている結合画像が第１表示部及び第２表示部にそれぞれ分割して供給される。これにより、第１表示部及び第２表示部における画像の書き換えが行われる。
【００１１】
上述した画像書き換え時には、判定手段によって、第１表示部及び第２表示部のいずれの画像を書き換えるかが判定される。判定手段は、記憶手段に記憶されている結合画像（即ち、第１表示部及び第２表示部で表示すべき画像）に基づいて、画像を書き換える表示部を判定する。例えば判定手段は、結合画像が第１表示部及び第２表示部の両方にまたがる画像である場合には、第１表示部及び第２表示部のいずれも画像を書き換えると判定する。一方で判定手段は、結合画像が第１表示部及び第２表示部のいずれか一方のみで表示される画像である場合には、第１表示部及び第２表示部の一方の画像のみを書き換えると判定する。
【００１２】
ここで本発明では特に、第１表示部及び第２表示部の一方の画像を書き換えないと判定した場合、電源供給停止手段によって、第１表示部及び第２表示部のうち画像を書き換えないと判定された一方への電源電位の供給が停止される。このようにすれば、第１表示部及び第２表示部のうち画像を書き換える必要のない一方での消費電力をなくすことができるため、効果的に消費電力を低減することができる。
【００１３】
なお、電源供給停止手段は、電源電位の供給を停止した後、判定手段によって電源電位の供給を停止した表示部の画像を書き換えると判定された場合には、電源電位の供給を再開するよう制御する。
【００１４】
以上説明したように、本発明に係る表示装置によれば、消費電力を好適に低減することが可能である。
【００１５】
本発明に係る表示装置の一態様では、前記判定手段は、前記第１表示部及び前記第２表示部に対応する座標情報を有しており、前記結合画像を表示すべき座標に基づいて、前記第１表示部及び前記第２表示部のいずれの画像を書き換えるかを判定する。
【００１６】
この態様によれば、判定手段には、第１表示部及び第２表示部に対応する座標情報が記憶されている。なお、ここでの「座標情報」とは、第１表示部及び第２表示部の各々における詳細な画像表示位置（例えば、画素単位での表示位置）を示すパラメータであり、例えば設計時に第１表示部及び第２表示部のサイズ等に応じて設定される。
【００１７】
本態様では特に、判定手段は、上述した座標情報を利用して、第１表示部及び第２表示部のいずれの画像を書き換えるかを判定する。具体的には、判定手段は、結合画像を表示すべき座標が、第１表示部及び第２表示部の両方にまたがる座標である場合には、第１表示部及び第２表示部のいずれも画像を書き換えると判定する。一方で判定手段は、結合画像を表示すべき座標が、第１表示部及び第２表示部のいずれか一方のみに対応する座標である場合には、第１表示部及び第２表示部の一方の画像のみを書き換えると判定する。
【００１８】
このように、座標情報を用いて判定を行うことにより、より容易且つ的確に画像を書き換える表示部を判定することが可能となる。従って、電源制御をより好適に行うことが可能となる。
【００１９】
本発明に係る表示装置の他の態様では、前記第１表示部及び前記第２表示部は記憶性を有する。
【００２０】
この態様によれば、第１表示部及び第２表示部は、例えば電気泳動表示装置や、コレステリック液晶表示装置、電子粉流型表示装置等の記憶性を有するものとして構成される。記憶性を有する表示部では、電源電位が供給されていなくとも、それまで表示していた画像を表示し続けることができる。よって本態様では、電源供給停止手段によって電源電位の供給が停止された表示部においても、画像は表示され続ける。従って、画像の表示性能を損なうことなく、好適に消費電力を低減することが可能となる。
【００２１】
本発明に係る表示装置の制御方法は上記課題を解決するために、画像を表示する第１表示部及び第２表示部と、前記第１表示部及び前記第２表示部の動作を制御する制御手段と、前記第１表示部に表示すべき画像及び前記第２表示部に表示すべき画像を１つの結合画像として記憶する記憶手段とを備える表示装置の制御方法であって、前記結合画像を前記第１表示部及び前記第２表示部にそれぞれ分割して供給することで、前記第１表示部及び前記第２表示部における画像の書き換えを行う書換工程と、前記結合画像に基づいて、前記第１表示部及び前記第２表示部のいずれの画像を書き換えるかを判定する判定工程と、前記第１表示部及び前記第２表示部の一方の画像を書き換えないと判定した場合に、前記一方への電源電位の供給を停止する電源供給停止工程とを含む。
【００２２】
本発明に係る表示装置の制御方法によれば、前述した本発明に係る表示装置と同様に、第１表示部及び第２表示部のうち画像の書き換えを行わない一方の表示部への電源電位の供給が停止される。この結果、好適に消費電力を低減することが可能となる。
【００２３】
なお、本発明に係る表示装置の制御方法においても、前述した本発明に係る表示装置における各種態様と同様の各種態様を採ることが可能である。
【００２４】
本発明の作用及び他の利得は次に説明する発明を実施するための形態から明らかにされる。
【図面の簡単な説明】
【００２５】
【図１】実施形態に係る表示装置の全体構成を示す斜視図である。
【図２】実施形態に係る表示部の構成を示すブロック図である。
【図３】実施形態に係る画素の電気的な構成を示す等価回路図である。
【図４】実施形態に係る表示部の部分断面図である。
【図５】実施形態に係る制御部の構成を示すブロック図である。
【図６】実施形態に係る表示装置の動作を示すフローチャートである。
【発明を実施するための形態】
【００２６】
以下では、本発明の実施形態について図を参照しつつ説明する。
【００２７】
＜装置構成＞
先ず、本実施形態に係る表示装置の全体構成ついて、図１を参照して説明する。
【００２８】
図１は、本実施形態に係る表示装置の全体構成を示す斜視図である。
【００２９】
図１において、本実施形態に係る表示装置１は、主に表表紙部５１と、裏表紙部５２と、表表紙部５１及び裏表紙部５２とを連結する蝶番部５５とを備えて構成されている。
【００３０】
表表紙部５１は左画面１１０を有している。裏表紙部５２は右画面１２０を有している。左画面１１０及び右画面１２０は、それぞれ電気泳動素子を制御して画像を表示する電気泳動表示装置として構成されている。なお、左画面１１０及び右画面１２０は、それぞれ本発明の「第１表示部」及び「第２表示部」の一例である。
【００３１】
次に、本実施形態に係る表示装置の表示部の具体的な構成について、図２から図４を参照して説明する。なお、上述した左画面１１０及び右画面１２０は互いに同様の構成であるため、以下では左画面１１０の構成のみを説明し、右画面の構成については説明を省略する。
【００３２】
図２は、本実施形態に係る表示部の構成を示すブロック図である。
【００３３】
図２において、本実施形態に係る表表紙部５１は、アクティブマトリクス駆動方式の電気泳動表示装置であり、左画面１１０と、コントローラー１０と、走査線駆動回路６０と、データ線駆動回路７０と、共通電位供給回路２２０とを備えている。
【００３４】
左画面１１０には、ｍ行×ｎ列分の画素２０がマトリクス状（二次元平面的）に配列されている。また、左画面１１０には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３５】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３６】
走査線駆動回路６０は、コントローラー１０による制御下で、所定のフレーム期間中に、走査線Ｙ１、Ｙ２、…、Ｙｍの各々に走査信号をパルス的に順次供給する。
【００３７】
データ線駆動回路７０は、コントローラー１０による制御下で、データ線Ｘ１、Ｘ２、…、Ｘｎにデータ電位を供給する。データ電位は、基準電位ＧＮＤ（例えば０ボルト）、高電位ＶＨ（例えば＋１５ボルト）又は低電位ＶＬ（例えば−１５ボルト）のいずれかの電位をとる。
【００３８】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。
【００３９】
なお、コントローラー１０、走査線駆動回路６０、データ線駆動回路７０及び共通電位供給回路２２０には、各種の信号が入出力されるが、本実施形態と特に関係のないものについては説明を省略する。
【００４０】
図３は、本実施形態に係る画素の電気的な構成を示す等価回路図である。
【００４１】
図３において、画素２０は、画素スイッチング用トランジスター２４と、画素電極２１と、対向電極２２と、電気泳動素子２３と、保持容量２７とを備えている。
【００４２】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図２参照）からデータ線５０を介して供給されるデータ電位を、走査線駆動回路６０（図２参照）から走査線４０を介してパルス的に供給される走査信号に応じたタイミングで、画素電極２１及び保持容量２７に出力する。
【００４３】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００４４】
対向電極２２は、共通電位Ｖｃｏｍが供給される共通電位線９３に電気的に接続されている。
【００４５】
電気泳動素子２３は、電気泳動粒子をそれぞれ含んでなる複数のマイクロカプセルから構成されている。
【００４６】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００４７】
図４は、本実施形態に係る表示部の部分断面図である。
【００４８】
図４において、左画面１１０は、素子基板２８と対向基板２９との間に電気泳動素子２３が挟持される構成となっている。なお、本実施形態では、対向基板２９側に画像を表示することを前提として説明する。
【００４９】
素子基板２８は、例えばガラスやプラスチック等からなる基板である。素子基板２８上には、ここでは図示を省略するが、図３を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００５０】
対向基板２９は、例えばガラスやプラスチック等からなる透明な基板である。対向基板２９における素子基板２８との対向面上には、対向電極２２が複数の画素電極９ａと対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５１】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、左画面１１０は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５２】
マイクロカプセル８０は、画素電極２１及び対向電極２２間に挟持され、１つの画素２０内に（言い換えれば、１つの画素電極２１に対して）１つ又は複数配置されている。
【００５３】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５４】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５５】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５６】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５７】
黒色粒子８３は、例えば、アニリンブラック、カーボンブラック等の黒色顔料からなる粒子（高分子或いはコロイド）であり、例えば正に帯電されている。
【００５８】
このため、白色粒子８２及び黒色粒子８３は、画素電極２１と対向電極２２との間の電位差によって発生する電場によって、分散媒８１中を移動することができる。
【００５９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００６０】
図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、左画面１１０の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、左画面１１０の表示面にはこの黒色粒子８３の色（即ち、黒色）が表示されることとなる。
【００６１】
なお、白色粒子８２、黒色粒子８３に用いる顔料を、例えば赤色、緑色、青色等の顔料に代えることによって、赤色、緑色、青色等を表示することができる。
【００６２】
次に、上述した左画面１１０及び右画面１２０の動作を制御する制御部の構成について、図５を参照して説明する。
【００６３】
図５は、本実施形態に係る制御部の構成を示すブロック図である。
【００６４】
図５において、制御部３００は、本発明の「制御手段」の一例であり、ＶＲＡＭ（Video Random Access Memory）コントローラー３１０と、座標領域判定部３２０と、座標設定部３３０と、駆動制御部３４０と、タイミング制御部３５０と、電源制御部３６０とを備えて構成されている。なお、制御部３００は、コントローラー１０（図２参照）の一部として構成されてもよいし、他の回路として構成されてもよい。
【００６５】
ＶＲＡＭコントローラー３１０は、本発明の「記憶手段」の一例であるＶＲＡＭ４００の動作を制御する。具体的には、ＶＲＡＭコントローラー３１０は、メインメモリ２６０からホストＣＰＵ（Central Processing Unit）２５０を介して制御部３００に入力される画像データを、ＶＲＡＭ４００に記憶させる。またＶＲＡＭコントローラー３１０は、ＶＲＡＭ４００に記憶された画像データを読み出して、駆動制御部３４０へと出力する。
【００６６】
なお、本実施形態に係るＶＲＡＭ４００には、図に示すように、左画面１１０及び右画面１２０に表示すべき画像データが、本発明の「結合画像」の一例である１枚の画像データとして記憶される。
【００６７】
座標領域判定部３２０は、本発明の「判定手段」の一例であり、ホストＣＰＵ２５０から入力された画像データが、左画面１１０及び右画面１２０のいずれの画像書き換えを伴うものかを判定する。座両領域判定部３４０は、座標設定部３３０に設定された座標情報を用いて左画面１１０及び右画面１２０のいずれの画像書き換えを行うかを判定する。具体的には、座標領域判定部３２０は、画像を表示すべき座標が、左画面１１０及び右画面１２０の両方にまたがる座標である場合には、左画面１１０及び右画面１２０のいずれも画像を書き換えると判定する。一方で座標領域判定部３２０は、画像を表示すべき座標が、左画面１１０及び右画面１２０のいずれか一方のみに対応する座標である場合には、左画面１１０及び右画面１２０の一方の画像のみを書き換えると判定する。
【００６８】
駆動制御部３４０は、ＶＲＡＭコントローラー３１０から入力された画像データを、左画面１１０及び右画面１２０にそれぞれ供給する。なお、駆動制御部３４０から出力された画像データは、先ずタイミング制御部３５０に供給され、タイミング制御部３５０から適切なタイミングで左画面１１０及び右画面１２０にそれぞれ供給される。なお、ここでの駆動制御部３４０及びタイミング制御部３５０は、本発明の「書換手段」の一例である。
【００６９】
電源制御部３６０は、本発明の「電源供給停止手段」の一例であり、左画面１１０の第１電源部５１０及び右画面１２０の第２電源部５２０の動作を制御することで、左画面１１０及び右画面１２０への電源電位の供給を制御する。なお、電源電位の供給の制御方法については以下に詳述する。
【００７０】
＜制御方法＞
次に、本実施形態に係る表示装置の制御方法について、図６を参照して説明する。なお、以下では、本実施形態に特有の制御部３００における動作について詳細に説明し、一般的な他の部位における動作については適宜説明を省略するものとする。
【００７１】
図６は、実施形態に係る表示装置の動作を示すフローチャートである。
【００７２】
図６において、本実施形態に係る表示装置１の動作時には、制御部３００にホストＣＰＵ２５０から画像データが入力されると（ステップＳ１０１：ＹＥＳ）、座標領域判定部３２０において、まず左画面１１０及び右画面１２０の両方の画像を書き換えるか否かが判定される（ステップＳ１０２）。即ち、入力された画像データの座標が、左画面１１０及び右画面１２０の両方にまたがるものであるか否かが判定される。
【００７３】
ここで、左画面１１０及び右画面１２０の両方の画像を書き換えると判定された場合（ステップＳ１０２）、電源制御部３６０は、左画面１１０の第１電源部５１０及び右画面１２０の第２電源部５２０を両方オンとする（ステップＳ１０３）。これにより表示装置１は、左画面１１０及び右画面１２０の両方の画像を書き換えることが可能な状態となる。
【００７４】
他方で、左画面１１０及び右画面１２０の両方の画像を書き換えない（即ち、左画面１１０及び右画面１２０のいずれか一方の画像のみを書き換える）と判定された場合（ステップＳ１０２：ＮＯ）、座標領域判定部３２０において、書き換えるべき表示部が左画面１１０であるか否かが判定される（ステップＳ１０４）。
【００７５】
ここで、左画面１１０の画像のみを書き換えると判定された場合（ステップＳ１０４：ＹＥＳ）、電源制御部３６０は、左画面１１０の第１電源部５１０をオンとして、右画面１２０の第２電源部５２０をオフとする（ステップＳ１０５）。これにより表示装置１は、左画面１１０の画像を書き換えることが可能であると共に、画像を書き換えない右画面１２０への電源電位の供給は停止された状態となる。
【００７６】
一方、右画面１２０の画像のみを書き換えると判定された場合（ステップＳ１０４：ＮＯ）、電源制御部３６０は、左画面１１０の第１電源部５１０をオフとして、右画面１２０の第２電源部５２０をオンとする（ステップＳ１０６）。これにより表示装置１は、右画面１２０の画像を書き換えることが可能であると共に、画像を書き換えない左画面１１０への電源電位の供給は停止された状態となる。
【００７７】
上述したステップＳ１０３、ステップＳ１０５及びステップＳ１０６において、第１電源部５１０及び第２電源部５２０のオンオフが切替えられた後には、駆動制御部３４０からタイミング制御部３５０を介して、左画面１１０及び右画面１２０の各々に、画像を書き換えるための画像データが供給される（ステップＳ１０７）。これにより、左画面１１０及び右画面１２０のうち、画像が書き換えられるべき表示面の画像が書き換えられ、新たな画像が表示される。
【００７８】
本実施形態では特に、左画面１１０及び右画面１２０の一方の画像を書き換えないと判定した場合に、電源制御部３６０によって、画像を書き換えないと判定された一方の表示面への電源電位の供給が停止される。このようにすれば、左画面１１０及び右画面１２０のうち画像を書き換える必要のない一方での消費電力をなくすことができるため、効果的に消費電力を低減することができる。
【００７９】
また本実施形態では特に、ＶＲＡＭ４００において、左画面１１０及び右画面１２０に表示すべき画像を１枚の画像として管理しているため、左画面１１０に表示すべき画像及び右画面１２０に表示すべき画像を別々に管理する場合と比べて、装置を動作させるソフトウェアから見た場合の処理を比較的簡単なものとすることができる。
【００８０】
以上説明したように、本実施形態に係る表示装置１によれば、消費電力を好適に低減することが可能である。
【００８１】
なお、本実施形態では表示装置１の一例として電気泳動表示装置を挙げて説明したが、例えばコレステリック液晶表示装置、電子粉流型表示装置等の記憶性表示装置や、液晶表示装置、有機ＥＬ表示装置等の他の方式の表示装置として構成することも可能である。
【００８２】
また、本実施形態では２画面の表示装置について説明しているが、３画面以上の表示装置であったとしても、同様の制御により、上述した効果を得ることが可能である。即ち、画像を書き換えないと判定された表示面に対する電源電位の供給を停止させることで、その分の消費電力を低減させることができる。
【００８３】
本発明は、上述した実施形態に限られるものではなく、特許請求の範囲及び明細書全体から読み取れる発明の要旨或いは思想に反しない範囲で適宜変更可能であり、そのような変更を伴う表示装置、及び表示装置の制御方法もまた本発明の技術的範囲に含まれるものである。
【符号の説明】
【００８４】
１…表示装置、１０…コントローラー、２０…画素、２１…画素電極、２２…対向電極、２４…画素スイッチング用トランジスター、２８…素子基板、２９…対向基板、４０…走査線、５０…データ線、５１…表表紙部、５２…裏表紙部、５５…蝶番部、６０…走査線駆動回路、７０…データ線駆動回路、８２…白色粒子、８３…黒色粒子、１１０…左画面、１２０…右画面、２２０…共通電位供給回路、２５０…ホストＣＰＵ、２６０…メインメモリ、３００…制御部、３１０…ＶＲＡＭコントローラー、３２０…座標領域判定部、３３０…座標設定部、３４０…駆動制御部、３５０…タイミング制御部、３６０…電源制御部、４００…ＶＲＡＭ、５１０…第１電源部、５２０…第２電源部。
【図１】
0005974350.tif 000002
【図２】
0005974350.tif 000003
【図３】
0005974350.tif 000004
【図４】
0005974350.tif 000005
【図５】
0005974350.tif 000006
【図６】
0005974350.tif 000007